(57)【要約】【課題】携帯端末と、コンテンツ記憶している相手装置との間で、近接型の通信により、コンテンツの選択およびコンテンツ入手を簡単なユーザインターフェースで行うことができる近接通信システムの携帯端末を提供する。【解決手段】近接通信部６と近接通信装置２５が近接して通信路確立すると、コンテンツ制御機能１１とコンテンツ制御機能３１が起動される。コンテンツ制御機能１１は、開閉検出部２をチェックして筐体が開状態の場合、テレビ装置２００所有のコンテンツのコンテンツリストをテレビ装置２００に要求して入手し、表示部４に表示する。ユーザは、入力部５を操作してコンテンツを選択し、コンテンツ制御機能１１は、テレビ装置２００にそのコンテンツ送信要求を行い、入手する。筐体が開状態の場合、テレビ装置２００にコンテンツリスト表示を要求し、テレビ装置２００側の操作で選択されたコンテンツが携帯端末１００に送信される。【選択図】図２
2010081408.tif 000002
【特許請求の範囲】
【請求項１】
各種情報の表示を行う表示部と、複数のキーを備えた入力部とを備えた携帯端末において、
相手装置と所定の近接状態になることで通信路を確立させる近接通信手段と、
前記通信路が確立されたことに応じて起動され、前記相手装置が記憶するコンテンツの移動処理を行うコンテンツ制御手段と、
前記入力手段を用いてコンテンツの移動操作を行える状態か否かを検出する検出手段とを備え、
前記コンテンツ制御手段は、
前記検出手段が移動操作を行える状態であることを検出した場合、前記確立された通信路を介して前記相手装置に記憶しているコンテンツのリストの送信要求を行い、このリストの送信要求に応じて前記相手装置から受信したコンテンツのリストを前記表示部に表示させ、更に、この表示したコンテンツのリストから移動させるコンテンツの指定があると、前記確立された通信路を介して前記相手装置に指定されたコンテンツの送信要求を行い、
前記検出手段が移動操作を行える状態にないことを検出した場合、前記確立させた通信路を介して前記相手装置に該相手装置の表示部にコンテンツのリストを表示させるようリストの表示要求を行うことを特徴とする携帯端末。
【請求項２】
前記コンテンツ制御手段は、
前記検出手段が移動操作を行える状態にないことを検出した場合、前記確立させた通信路を介して前記相手装置に該相手装置の表示部にコンテンツのリストを表示させるようリストの表示要求を行い、
その後、前記検出手段が移動操作を行える状態に切替わったことを検出した場合、前記確立された通信路を介して前記相手装置に記憶しているコンテンツのリストの送信要求を行い、このリストの送信要求に応じて前記相手装置から受信したコンテンツのリストを前記表示部に表示させることを特徴とする請求項１記載の携帯端末。
【請求項３】
前記検出手段が検出する移動操作を行える状態／移動操作を行えない状態は、
携帯端末の開閉式筐体の開状態／閉状態にそれぞれ対応することを特徴とする請求項１記載の携帯端末。
【請求項４】
前記検出手段が検出する移動操作を行える状態／移動操作を行えない状態は、
前記入力部のキーロック設定がロックされてない状態／ロック状態にそれぞれ対応することを特徴とする請求項１記載の携帯端末。
【発明の詳細な説明】
【技術分野】
【０００１】
本発明は、近接通信システムで対向装置からコンテンツの受信を行う携帯端末に関する。
【背景技術】
【０００２】
近接型の無線通信を行う通信装置がある（例えば、特許文献１参照。）。この特許文献１の通信装置は、他の装置との間で情報の送受を行うとき、操作ボタンでその送受方向を決めて、情報の送受を行っている。この情報は、比較的情報量の小さなものであり、他の装置に表示されている情報コンテンツをそのまま、送受している。
【特許文献１】特開２００５−４５５５７号公報（頁１１〜１３、図７〜図１４）
【発明の開示】
【発明が解決しようとする課題】
【０００３】
特許文献１の通信装置では、情報の送受方向を決めるための特別な操作ボタンを備えて、ユーザはその操作を行う必要がある。また、比較的大きな情報量のコンテンツを複数記憶している場合などは、コンテンツそのものの表示をいきなり行うのではなく、コンテンツのリストをまず表示する必要があるが、その場合のコンテンツリストの表示を通信装置と他の装置のどちらで行うかなどのユーザインターフェースについての記載がない。
【０００４】
本発明は、携帯端末と、コンテンツを記憶している相手装置との間で、近接型の通信により、コンテンツの選択およびコンテンツ入手を行うユーザインターフェースに関して、コンテンツリストの表示を携帯端末と相手装置のどちらで行うかなどの特別の操作ボタンを備えなくても簡単に行うことができる近接通信システムの携帯端末を提供することを目的とする。
【課題を解決するための手段】
【０００５】
上記目的を達成するために、本発明の携帯端末は、各種情報の表示を行う表示部と、複数のキーを備えた入力部とを備えた携帯端末において、相手装置と所定の近接状態になることで通信路を確立させる近接通信手段と、前記通信路が確立されたことに応じて起動され、前記相手装置が記憶するコンテンツの移動処理を行うコンテンツ制御手段と、前記入力手段を用いてコンテンツの移動操作を行える状態か否かを検出する検出手段とを備え、前記コンテンツ制御手段は、前記検出手段が移動操作を行える状態であることを検出した場合、前記確立された通信路を介して前記相手装置に記憶しているコンテンツのリストの送信要求を行い、このリストの送信要求に応じて前記相手装置から受信したコンテンツのリストを前記表示部に表示させ、更に、この表示したコンテンツのリストから移動させるコンテンツの指定があると、前記確立された通信路を介して前記相手装置に指定されたコンテンツの送信要求を行い、前記検出手段が移動操作を行える状態にないことを検出した場合、前記確立させた通信路を介して前記相手装置に該相手装置の表示部にコンテンツのリストを表示させるようリストの表示要求を行うことを特徴とする。
【発明の効果】
【０００６】
本発明によれば、携帯端末と、コンテンツを記憶している相手装置との間で、近接型の通信により、コンテンツの選択およびコンテンツ入手を行うユーザインターフェースに関して、コンテンツリストの表示を携帯端末と相手装置のどちらで行うかなどの特別の操作ボタンを備えなくても簡単に行うことができる。また、各装置の元々の表示を生かすことができる。
【発明を実施するための最良の形態】
【０００７】
図１は、本発明の実施例に係る近接通信システムのシステム図である。テレビ装置２００（相手装置）には、ＵＳＢなどのケーブルを介して近接通信装置２５が接続されている。この近接通信装置２５は、近接通信の機能を有する携帯電話機やポータブルＰＣなどの携帯端末１００がタッチするるなどの接近した状態になると近接通信を行い、携帯端末１００との間で各種データの送受信を行うための装置である。
【０００８】
なお、図１の例では、近接通信装置２５は、ＵＳＢなどのケーブルを介してテレビ装置２００に接続されているとしているが、この近接通信装置２５はテレビ装置２００本体に内蔵されていてもよい。また、近接通信は、誘導電界を利用し、数ｃｍ〜十数ｃｍ程度の近接状態での通信を行うもので、これにより、意図しない他の装置との誤った通信が発生しづらいという特徴を備えている。
【０００９】
したがって、携帯端末を相手装置に近接またはタッチさせる行為が、データ通信を行うとの意思表示と見なすことができ、近接またはタッチに応じて通信路を確立させることで、データ通信を行うことができる。
【００１０】
図１の（Ａ１）では、携帯端末１００とテレビ装置２００に接続された近接通信装置２５とが離れているため、近接通信のための通信路が確立されていない状態であり、また、携帯端末１００は折り畳みタイプの端末で、筐体が開かれた状態にあることを示しているる。なお、このとき、テレビ装置２００にはチューナを介して受信したＴＶ放送波をデコードすることで得られた番組データに含まれる映像が表示、および番組データに含まれる音声の出力がされており、また、携帯端末１００には待受け画面が表示されているものとする。
【００１１】
図１の（Ａ２）は、（Ａ１）の状態からユーザが携帯端末１００を移動させ、テレビ装置２００に接続された近接通信装置２５にタッチするなどの近接させた状態にしたことにより近接通信が確立した後の状態を示している。テレビ装置２００はチューナを介して受信したＴＶ放送波を録画した番組データ、インターネットなどを介してダウンロードした映像付き音楽データ、ＵＳＢなどのケーブルを介してデジタルカメラから取り込んだ静止画データなどのコンテンツ、及び、これらのコンテンツのタイトルなどから構成されるコンテンツリストを記憶しており、携帯端末１００は、近接通信装置２５との間で確立した近距離無線を介してテレビ装置２００が記憶するコンテンツリストを入手することで、このコンテンツリストを表示している。なお、このとき、携帯端末１００の待受け画面をコンテンツリストの表示に切替えている。
【００１２】
一方、テレビ装置２００では、近接通信装置２５と携帯端末１００との間で確立した近接通信を介してコンテンツリストの送信要求を受け付け、この要求に応じてコンテンツリストを携帯端末１００に送信する処理を行っている間も、チューナを介して受信したＴＶ放送波に含まれる番組データをデコードすることで得た映像の表示および音声のスピーカ出力が継続され、番組データの視聴には影響しない。
【００１３】
そして、ユーザは、携帯端末１００のキーを操作することで、テレビ装置２００に記憶されているコンテンツの中から所望のコンテンツを選択し、近接通信を介して入手することができる。
【００１４】
図１の（Ｂ１）は、携帯端末１００とテレビ装置２００に接続されている近接通信装置２５とが離れており、近接通信の通信路が確立されていない状態であり、また、携帯端末１００は筐体が閉じた状態を示している。また、この場合も（Ａ１）のケースと同様に、テレビ装置２００にはチューナを介してＴＶ放送波から抽出した番組データをデコードすることで得られた映像が表示、および音声の出力がされており、また、携帯端末１００には表示はされていないものとする。
【００１５】
図１の（Ｂ２）は、（Ｂ１）の状態からユーザが携帯端末１００を移動させ、テレビ装置２００に接続された近接通信装置２５にタッチするなどの近接させる状態にしたことにより近接通信が確立した後の状態を示している。この場合は、携帯端末１００は閉じた状態にあるため、データ等の表示ができないので、テレビ装置２００の表示が、番組データをデコードして得た映像の表示からテレビ装置１００が記憶しているコンテンツリストの表示に切り替わる。そして、ユーザが、テレビ装置２００のキー、またはテレビ装置２００に付属のリモートコントローラのキーを操作することで所望とするコンテンツを選択すると、選択されたコンテンツが近接通信を介して携帯端末１００に送信される。
【００１６】
さらに、（Ａ２）の状態、即ち、テレビ装置２００から受信したコンテンツリストが表示されている状態でユーザが携帯端末１００の筐体を閉じると、携帯端末１００とテレビ装置２００との間で状態変更に伴った処理が行われ自動で（Ｂ２）の状態に切り替わり、ユーザは、テレビ装置２００のキーなどを操作することでコンテンツの選択を行うことができる。
【００１７】
逆に、（Ｂ２）の状態からユーザが携帯端末１００の筐体を開くと、同様に携帯端末１００とテレビ装置２００との間で状態変更に伴った処理が行われ自動で（Ａ２）の状態に切り替わり、ユーザは、携帯端末１００のキーを操作することでテレビ装置２００から入手するコンテンツの選択が行える。
【００１８】
このように、携帯端末１００でのコンテンツの移動操作が可能か不可能かにより、コンテンツリストの表示とコンテンツ選択操作が携帯端末１００とテレビ装置２００との間で自動で切替わるため、ユーザは、コンテンツリストの表示されている方の装置を操作すれば、コンテンツを選択して携帯端末１００に移動させることができる。
【００１９】
図２は、本発明の実施例に係る携帯端末１００とテレビ装置２００のブロック図である。  
「携帯端末１００」
携帯端末１００は、コンテンツ記憶部１、開閉検出部２、通信部３、表示部４、入力部５、近接通信部６、制御部１０などから構成される。制御部１０は、図示しないＣＰＵ、ＲＯＭ、ＲＡＭなどから構成され、ＲＯＭに記憶されているソフトウェアに基づいて、コンテンツ制御機能１１、キーロック機能１２、携帯電話制御機能１３などを実行する。
【００２０】
次に上記各部の機能について説明する。コンテンツ記憶部１は、コンテンツ制御機能１１により書き込まれるコンテンツデータを記憶する記憶手段であ。開閉検出部２は、携帯端末１００の折り畳み式筐体の開閉を検出するホール素子やスイッチなどであり、コンテンツ制御機能１１により読み取られる。通信部３は、図示しない携帯電話網を構成する基地局との間で無線信号の送受を行うとともに、送受信するデータの周波数変換、変調復調処理などを行う。また、携帯電話制御機能１３との間でデータの送受を行う。
【００２１】
表示部４は、表示コントローラおよびＬＣＤなどから構成されるユーザインタフェースとしての表示手段であり、携帯電話制御機能１３によって実行される通話に関する各種情報の表示を行う。例えば、電波強度の表示、着呼時の発信者名の表示、通話時間の表示などが表示される。また、表示部４は、コンテンツ制御機能１１によって実行されるコンテンツに関する各種情報の表示を行う。例えば、コンテンツリストの表示、再生されたコンテンツの映像の表示などである。  
入力部５は、数字キー、機能キー、電源キーなどの操作キーからなる入力手段である。
【００２２】
近接通信部６は、テレビ装置２００と接続された近接通信装置２５に近接することによって、誘導電界などによる通信路の確立を行うとともに近接通信装置２５と通信可能な範囲外に出ることで通信路を切断し、この通信路の確立および切断に応じて確立信号および切断信号を制御部１０に送る。また、近接通信部６は、近接通信装置２５との間で送受信されるデータの変調復調なども行う。
【００２３】
制御部１０のコンテンツ制御機能１１は、近接通信部６から通信路が確立したことを示す確立信号によって起動され、起動後、近接通信部６を経由してテレビ装置２００で記憶しているコンテンツリストやコンテンツを入手するための処理を実行する。なお、このコンテンツ制御機能１１の詳細については、後述の図３〜６を用いて説明する。
【００２４】
キーロック機能１２は、入力部５の電源キーを除く他のキーの入力を受け付けないようにするキーロックの設定のオン・オフを制御する。携帯電話制御機能１３は、通信部３との間のデータの送受信や、携帯電話に関する表示データを表示部４に表示させる。
【００２５】
「テレビ装置２００」
テレビ装置２００は、コンテンツ記憶部２１、テレビ受信部２２、表示部２３、入力部２４、近接通信装置２５、制御部３０などから構成される。制御部３０は、図示しないＣＰＵ、ＲＯＭ、ＲＡＭなどから構成され、ＲＯＭに記憶されているソフトウェアに基づいて、コンテンツ制御機能３１、テレビ制御機能３２などを実行する。
【００２６】
次に上記各部の機能について説明する。コンテンツ記憶部２１は、テレビ受信部２２を介して受信したＴＶ放送波から抽出した番組データ、インターネットなどを介してダウンロードした映像付き音楽データ、ＵＳＢなどのケーブルを介してデジタルカメラから取り込んだ静止画データなどのコンテンツを記憶している。テレビ受信部２２は、ＴＶ放送波を受信及び復調して、復調データをテレビ制御機能３２に送る。
【００２７】
表示部２３は、表示コントローラおよびＬＣＤなどで構成されるユーザインタフェースとしての表示手段であり、テレビ制御機能３２が番組データをデコードすることで得たテレビ放送の映像などの表示を行う。また、コンテンツ制御機能３１からのコンテンツに関する表示を行う。入力部２４は、操作キーなどのユーザインタフェースの入力手段である。図示しないリモコンを含んでもよい。
【００２８】
近接通信装置２５は、携帯端末１００の近接通信部６がタッチされるなどして近接すると、誘導電界などによる通信路の確立を行うとともに携帯端末１００が通信可能な範囲外に出ることで通信路を切断し、この通信路の確立および切断に応じて確立信号および切断信号を制御部３０に送る。また、近接通信装置２５は、携帯端末１００との間で送受信されるデータの変調復調などを行う。
【００２９】
制御部３０のコンテンツ制御機能３１は、起動されると、携帯端末１００の状態に応じてコンテンツ記憶部２１に記憶されているコンテンツリストを近接通信装置２５を経由して携帯端末１００に送信するとともに、携帯端末１００からの要求、またはテレビ装置１００のキー操作やリモートコントローラのキー操作による指示に応じてコンテンツ記憶部２１に記憶されているコンテンツを近接通信装置２５を介して携帯端末１００に送る。なお、このコンテンツ制御機能３１の詳細については、後述の図３〜６を利用して説明する。
【００３０】
テレビ制御機能３２は、テレビ受信部２２のチューナがＴＶ放送波から抽出した番組データをデコードして得た映像を表示部２３に表示させる。
【００３１】
図３は、本発明の実施例に係る携帯端末１００とテレビ装置２００との間で行われる通信処理のシーケンス（シーケンス１）を示す図であり、図１の（Ａ１）から（Ａ２）への遷移状態した場合において、携帯端末１００のユーザインタフェースである表示部４及び入力部５、コンテンツ制御機能１１、近接通信部６と、テレビ装置２００のユーザインタフェースである表示部２３及び入力部２４、コンテンツ制御機能３１、近接通信装置２５の間で行われる処理を示している。また、図１の（Ａ２）から（Ｂ２）への遷移状態も示す。
【００３２】
「図１の（Ａ１）状態」
まず、携帯端末１００とテレビ装置２００が離れている状態では、携帯端末１００とテレビ装置２００に接続されている近接通信装置２５との間では近接通信路は確立されていないため、コンテンツ制御機能１１とコンテンツ制御機能３１は起動されていない。この状態では、携帯端末１００の表示部４には携帯電話制御機能１３（図２）が携帯電話の待受け画面を表示させている（Ｑ１）。また、テレビ装置２００の表示部２３には、テレビ制御機能３２（図２）がＴＶ放送波から抽出した番組情報をデコードして得た映像を表示させている（Ｑ２）。
【００３３】
「図１の（Ａ２）状態」
次に、ユーザは、携帯端末１００の筐体を開いた状態で近接通信装置２５にタッチするなどして近接させると（Ｑ３）、携帯端末１００の近接通信部６と近接通信装置２５との間で通信路の確立が行われ（Ｑ４）、通信路が確立したことを示す確立信号が近接通信部６及び近接通信装置２５で発行され、それぞれの確立信号により携帯端末１００のコンテンツ制御機能１１とテレビ装置２００のコンテンツ制御機能３１が起動する（Ｑ５、Ｑ６）。
【００３４】
携帯端末１００のコンテンツ制御機能１１は、起動後すぐに開閉検出部２の筐体開閉状態をチェックする（Ｑ７）。
【００３５】
筐体が開状態であれば、ユーザは、携帯端末１００の表示部４を見ながら入力部５を操作して、コンテンツの選択ならびにテレビ装置２００が記憶するコンテンツの移動要求などが可能な状態なので、コンテンツ制御機能１１は、このチェックで開状態であればコンテンツ移動操作可能と判断して、テレビ装置２００が記憶しているコンテンツのコンテンツリストの送信要求を近接通信部６経由でテレビ装置２００に送信する（Ｑ１１）。
【００３６】
一方、テレビ装置２００のコンテンツ制御機能３１は、起動後、近接通信部２５経由でコンテンツリストの送信要求（Ｑ１１）を受信すると、コンテンツ記憶部２１に記憶しているコンテンツリストを読み出し、近接通信部２５経由で携帯端末１００へ送信する（Ｑ１３）。
【００３７】
なお、Ｑ１１でテレビ装置２００で受信されるコンテンツリストの送信要求には、事前に設定することでコンテンツのジャンル、コンテンツのサイズ（例えば、上限値）の条件を含めることもでき、この場合、コンテンツ制御機能３１は、コンテンツ記憶部２１から上記条件に合ったコンテンツリストを作成し、この作成したコンテンツリストを携帯端末１００に送信する。
【００３８】
携帯端末１００のコンテンツ制御機能１１は、近接通信部６経由でコンテンツリストを受信すると、表示部４に対して、このコンテンツリストの表示を指示する（Ｑ１４）。表示部４は、待受け画面表示からコンテンツリストに表示を切替える（Ｑ１５）。
【００３９】
この状態で、コンテンツ制御機能１１は、ユーザによる携帯端末１００の入力部５のキーが操作されテレビ装置２００から取得するコンテンツが指定されるのを待つが、この間、筐体の開閉状態が変わる可能性があるので、開閉検出部２の開閉状態をチェックする（Ｑ１６）。
【００４０】
コンテンツ制御機能１１は、筐体の開状態、すなわちコンテンツ移動操作可能が継続していれば、ユーザによるコンテンツの選択を待つ。携帯端末１００の入力部５が操作され、コンテンツリストの中からコンテンツの選択が行われると（Ｑ１７）、コンテンツ制御機能１１は、入力部５から選択されたコンテンツ名などのコンテンツを特定するための情報を入手し（Ｑ１８）、このコンテンツの送信要求を近接通信部６経由でテレビ装置２００へ送信する（Ｑ１９）。
【００４１】
テレビ装置２００のコンテンツ制御機能３１は、近接通信部２５経由でコンテンツの送信要求を受信すると、コンテンツ記憶部２１に記憶しているコンテンツから送信要求に含まれるコンテンツを特定するための情報に基づいて検索したコンテンツを読み出し、近接通信部２５経由で携帯端末１００へ送信する（Ｑ２０）。
【００４２】
携帯端末１００のコンテンツ制御機能１１は、近接通信部６経由でコンテンツを受信すると、このコンテンツをコンテンツ記憶部１に記憶する（Ｑ２１）。そして、表示部４にこのコンテンツを表示するように指示する（Ｑ２２）。表示部４は、このコンテンツを表示する（Ｑ２３）。
【００４３】
前記Ｑ１６において、携帯端末１００のコンテンツ制御機能１１は、筐体が開状態から閉状態に変更されたことを検出すると、点線矢印で示す処理を行って、「図１の（Ａ２）→（Ｂ２）遷移」が実行される。この詳細については、後述の「図１の（Ａ２）→（Ｂ２）遷移」で説明する。
【００４４】
なお、携帯端末１００がテレビ装置２００からコンテンツを取得したことに応じて表示部４にコンテンツを表示させるとは、例えば、取得したコンテンツが１つのとき、このコンテンツを再生させることによってこのコンテンツに含まれる映像が表示される場合、また、コンテンツの取得処理が完了したことのみを示す情報を表示させる場合など、様々なケースが考えられる。
【００４５】
このように、携帯端末１００の操作が可能の状態で、携帯端末１００をテレビ装置２００に近接させるだけで、携帯端末１００の表示部４にコンテンツリストの表示がされるので、ユーザは、携帯端末１００の入力部５のキーを操作して取得するコンテンツを選択し、そのコンテンツを入手することができる。なお、このときテレビ装置２００側では、ＴＶ放送波から抽出した番組データに基づく映像の表示が継続され、ユーザは、継続して視聴することができる。
【００４６】
図４は、本発明の実施例に係る携帯端末１００とテレビ装置２００との間で行われる通信処理のシーケンス（シーケンス２）を示す図であり、図１の（Ｂ１）から（Ｂ２）への遷移状態があった場合の処理を表している。また、図１の（Ｂ２）から（Ａ２）への遷移状態も示す。なお、図３のシーケンスと同じ部分については、同じシーケンスＱ番号を付けて説明する。
【００４７】
「図１の（Ｂ１）状態」
まず、携帯端末１００とテレビ装置２００が離れている状態では、図３の場合と同様であるが、端末１００の筐体は閉じられているので、表示部４の表示はオフとなっている。一方、テレビ装置２００の表示部２３にはテレビ制御機能３２がＴＶ放送波から抽出した番組情報をデコードして得た映像が表示されている（Ｑ２）。
【００４８】
「図１の（Ｂ２）状態」
次に、ユーザは、携帯端末１００の筐体を閉じた状態でテレビ装置２００にタッチするなどして近接させると（Ｑ３）、携帯端末１００の近接通信部６とテレビ装置２００に接続されている近接通信装置２５との間で通信路の確立が行われ（Ｑ４）、通信路が確立したことを示す確立信号が近接通信部６及び近接通信装置２５が発行され、それぞれの確立信号により携帯端末１００のコンテンツ制御機能１１とテレビ装置２００のコンテンツ制御機能３１が起動する（Ｑ５、Ｑ６）。また、携帯端末１００のコンテンツ制御機能１１は、起動後すぐに開閉検出部２が検出する筐体の開閉状態をチェックする（Ｑ７）。
【００４９】
コンテンツ制御機能１１は、このチェックで携帯端末１００が閉状態であればコンテンツ移動操作不可能と判断して、テレビ装置２００が記憶しているコンテンツのコンテンツリストの表示をテレビ装置２００の表示部２３に表示させるべく、コンテンツリストの表示要求を近接通信部６経由でテレビ装置２００に送信する（Ｑ５２）。
【００５０】
テレビ装置２００のコンテンツ制御機能３１は、起動後に近接通信部２５経由でコンテンツリストの表示要求を受信すると、表示部２３に対して、このコンテンツリストの表示を指示する（Ｑ５３）。このとき、表示部２３では、番組データに基づく映像の表示からコンテンツリストの表示に切替える（Ｑ５４）。
【００５１】
なお、上記コンテンツの表示要求には、事前に設定することにより、コンテンツのジャンルやサイズ（例えば、上限値）の条件を含めることもでき、この場合、コンテンツ制御機能３１は、コンテンツ記憶部２１から上記条件に合ったコンテンツリストを作成し、表示部２３に表示させる。  この状態で、コンテンツ制御機能３１は、ユーザによるテレビ装置２００の入力部２４またはリモートコントローラのキーが操作され、携帯端末１００に移動させるコンテンツの指定が入力されるのを待つ。
【００５２】
携帯端末１００のコンテンツ制御機能１１は、この間、テレビ装置２００側で操作選択されたコンテンツが移動送信されて来るのを待つが、この間、Ｑ７で判断したコンテンツ移動操作可能判断が変わる可能性、すなわち、筐体の開閉状態が変わる可能性があるので、開閉検出部２が検出する筐体の開閉状態をチェックする（Ｑ５５）。
【００５３】
コンテンツ制御機能１１は、Ｑ５５で筐体の閉状態すなわちコンテンツ移動操作不可能が継続していれば、ユーザによるテレビ装置２００の入力部２４またはリモートコントローラのキーが操作され、携帯端末１００に移動させるコンテンツが指定されるのを待つ。
【００５４】
ユーザは、Ｑ５４のテレビ装置２００の表示部２３にコンテンツリストの表示がなされた状態で、テレビ装置２００の入力部２４またはリモートコントローラのキーを操作してコンテンツリスト中から移動させるコンテンツを選択する（Ｑ５６）。コンテンツ制御機能３１は、キーが操作されて選択されると、選択されたコンテンツの識別情報を入手し（Ｑ５７）、この識別情報に基づいてコンテンツ記憶部２１からコンテンツを読み出し、この読み出したコンテンツを近接通信部２５経由で携帯端末１００へ送信する（Ｑ５８）。
【００５５】
そして、携帯端末１００のコンテンツ制御機能１１は、近接通信部６経由で受信したコンテンツ（Ｑ５８）をコンテンツ記憶部１に記憶する（Ｑ５９）。
【００５６】
前記Ｑ５５において、携帯端末１００のコンテンツ制御機能１１は、筐体が閉状態から開状態へ変わったことを検出すると、点線矢印で示す処理を行って、「図１の（Ｂ２）→（Ａ２）遷移」が実行される。この詳細については、後述の「図１の（Ｂ２）→（Ａ２）遷移」で説明する。
【００５７】
このように、ユーザは、携帯端末１００の操作が不可能の状態で、携帯端末１００をテレビ装置２００にタッチするなどして近接させるだけで、テレビ装置２００の表示部２４にコンテンツリストの表示がされるので、テレビ装置２００の入力部２４またはリモートコントローラのキーを操作することでコンテンツを選択し、携帯端末１００に所望のコンテンツを移動させることができる。
【００５８】
図３、図４両図により、「図１の（Ａ２）→（Ｂ２）遷移」および「図１の（Ｂ２）→（Ａ２）遷移」について説明する。  
「図１の（Ａ２）→（Ｂ２）遷移」の説明：
図３のＱ１６の時点では、図１の（Ａ２）の状態、すなわち、携帯端末１００の表示部４にコンテンツリストが表示されている（Ｑ１５）。この状態から、ユーザが携帯端末１００の筐体を閉じると、携帯端末１００のコンテンツ制御機能１１は、Ｑ１６でコンテンツ移動操作不可能に変わったと判断して、表示部４にコンテンツリスト表示オフを指示し（Ｑ２４）、表示部４は、コンテンツリスト表示をオフする（不図示）。そして、コンテンツ制御機能１１は、図４のＱ５２以降へ移動する。
【００５９】
図４のＱ５２以降は、説明したとおりであり、テレビ装置２００の表示部２３にコンテンツリストが表示され、図１の（Ｂ２）の状態になる。そして、ユーザは、テレビ装置２００の入力部２４またはリモートコントローラのキーを操作して端末装置１００に移動させるコンテンツを選択し、携帯端末１００は、そのコンテンツを入手することができる。
【００６０】
「図１の（Ｂ２）→（Ａ２）遷移」の説明：
図４のＱ５５の時点では、図１の（Ｂ２）の状態、すなわち、テレビ装置２００の表示部２３にコンテンツリストが表示されている（Ｑ５４）。この状態から、ユーザが携帯端末１００の筐体を開けると、携帯端末１００のコンテンツ制御機能１１は、Ｑ５５でコンテンツ移動操作可能に変わったと判断して、点線矢印で示すように、近接通信部６経由でコンテンツリストの送信要求をテレビ装置２００へ送信する（Ｑ６０）。
【００６１】
テレビ装置２００のコンテンツ制御機能３１は、コンテンツリストの送信要求を受信すると、点線矢印で示すように、表示部２３にコンテンツリスト表示オフを指示し（Ｑ６１）、この結果、コンテンツリストの表示（図４のＱ５４）から、ＴＶ放送波から抽出した番組データをデコードすることで得た映像の表示に切り替わる（不図示）。
【００６２】
そして、携帯端末１００のコンテンツ制御機能１１は、点線矢印で示すように、前述の図３のＱ１３以降へ移動する。
【００６３】
図３のＱ１３以降は、既に説明したとおりであり、携帯端末１００の表示部４にコンテンツリストが表示され、図１の（Ａ２）の状態になる。そして、ユーザは、携帯端末１００の入力部５を操作することでテレビ装置２００から移動させるコンテンツを選択し、この選択に応じ、携帯端末１００は、そのコンテンツをテレビ装置２００から入手する。
【００６４】
このように、携帯端末１００またはテレビ装置２００の一方の表示部にコンテンツリストが表示されている状態から、携帯端末１００の操作の可能／不可能が切り替わっても、自動で他方の装置の方に表示が切り替わるため、ユーザは、コンテンツリストが表示されている装置の入力部（テレビ装置の場合はリモートコントローラを含む）のキーを操作し、この操作によって、携帯端末１００は所望とするコンテンツを入手することができる。
【００６５】
図５は、本発明の実施例に係る携帯端末１００のコンテンツ制御機能１１の動作フローチャートである。。本動作フローチャートのステップＳ番号と共に、対応する図３および図４のシーケンス図のシーケンスＱ番号も併記する。
【００６６】
コンテンツ制御機能１１は起動すると、まず、開閉検出部２の筐体開閉状態をチェックする（ステップＳ１、シーケンスＱ７）。
【００６７】
「コンテンツ移動操作可能の場合：図３の携帯端末１００のシーケンス及び図１（Ａ２）関連」
ステップＳ１で開状態であればコンテンツ移動操作可能と判断して、テレビ装置２００が記憶しているコンテンツのコンテンツリストの送信要求を近接通信部６経由でテレビ装置２００に送信する（Ｓ２、Ｑ１１）。近接通信部６経由でコンテンツリストを受信する（Ｓ３、Ｑ１３）。表示部４にこのコンテンツリストを表示させる（Ｓ４、Ｑ１４）。これにより、図１（Ａ２）状態になる。
【００６８】
この後、入力部５をチェックしてユーザ操作によるコンテンツ指定をチェックする（Ｓ５）。並行して、開閉検出部２の開閉状態をチェックして開閉状態を確認する（Ｓ６、Ｑ１６）。これは、ステップＳ１で開状態でコンテンツ移動操作可能と判断した後で変化してないかを確認するためである。
【００６９】
ステップＳ６で開状態でコンテンツ移動操作可能が継続しており（図１（Ａ２）状態）、ステップＳ５でコンテンツ名などのコンテンツを特定するための情報のコンテンツ指定があった場合（Ｑ１８）、このコンテンツの送信要求を近接通信部６経由でテレビ装置２００へ送信する（Ｓ７、Ｑ１９）。近接通信部６経由でテレビ装置２００から送信されたコンテンツ（Ｑ２０）を受信し（Ｓ８）、コンテンツ記憶部１に記憶する（Ｓ９、Ｑ２１）。
【００７０】
さらに、表示部４にこのコンテンツを表示させて（Ｓ１０、Ｑ２２、Ｑ２３）、コンテンツ制御を終了する。なお、上記説明の通り、コンテンツを表示させるとは、取得したコンテンツを再生させる場合と、コンテンツの取得処理が終了したことを示す情報を表示する場合がある。
【００７１】
「コンテンツ移動操作不可能の場合：図４の携帯端末１００のシーケンス及び図１（Ｂ２）関連」
前記ステップＳ１で筐体が閉状態であればコンテンツ移動操作不可能と判断して、テレビ装置２００が記憶しているコンテンツのコンテンツリストの表示をテレビ装置２００側に表示させるべく、コンテンツリストの表示要求を近接通信部６経由でテレビ装置２００に送信する（Ｓ２２、Ｑ５２）。
【００７２】
この後、テレビ装置側で操作選択されたコンテンツが近接通信部６経由で送られてくるのを待つ（Ｓ２３）。並行して、開閉検出部２が検出する開閉状態をチェックする（Ｓ２４、Ｑ５５）。これは、ステップＳ１で閉状態でコンテンツ移動操作不可能と判断した後で変化してないかを確認するためである。
【００７３】
ステップＳ２４で閉状態でコンテンツ移動操作不可能が継続しており、ステップＳ２３でコンテンツを受領した場合（Ｑ５８）、そのコンテンツをコンテンツ記憶部１に記憶し（Ｓ２５、Ｑ５９）、コンテンツ制御を終了する。
【００７４】
「図１の（Ａ２）→（Ｂ２）遷移」関連：
前記ステップＳ６のチェック中は、図１の（Ａ２）状態であったが、Ｓ６で閉状態でコンテンツ移動操作不可能と判断した場合、表示部４に、コンテンツリスト表示をオフさせる（Ｓ１１、Ｑ２４）。そして、前記ステップＳ２２へ移動し、前記したＳ２２以降の処理により、図１（Ｂ２）状態へ遷移する。
【００７５】
「図１の（Ｂ２）→（Ａ２）遷移」関連：
前記ステップＳ２４のチェック中は、図１の（Ｂ２）状態であったが、Ｓ２４で開状態でコンテンツ移動操作可能と判断した場合、近接通信部６経由でテレビ装置２００に、コンテンツリスト要求を送付する（Ｓ２６、Ｑ６０）。そして、前記ステップＳ３へ移動し、前記したＳ３以降の処理により、図１（Ａ２）状態へ遷移する。
【００７６】
以上、図５のコンテンツ制御機能１１の動作フローチャートは、シーケンスＱ番号を併記して説明したように、図３および図４の携帯端末１００のコンテンツ制御機能１１部分の全ての処理を実行している。
【００７７】
図６は、本発明の実施例に係るテレビ装置２００のコンテンツ制御機能３１の動作フローチャートである。本動作フローチャートのステップＳ番号と共に、対応する図３および図４のシーケンス図のシーケンスＱ番号も併記する。
【００７８】
コンテンツ制御機能３１は起動すると、まず、近接通信部６経由で携帯端末１００からの要求をチェックする（Ｓ５１）。
【００７９】
「コンテンツリストの送信要求を受信した場合：図３のテレビ装置２００のシーケンス及び図１（Ａ２）関連」
ステップＳ５１でコンテンツリスト要求（Ｑ１１）を受信した場合、コンテンツ記憶部２１に記憶しているコンテンツのリストを読出し、近接通信部２５経由で携帯端末１００へ送信する（Ｓ５３、Ｑ１３）。
【００８０】
この後、近接通信部２５経由で携帯端末１００から送信される要求をチェックする（Ｓ５４）。ステップＳ５４でコンテンツ送信要求があれば（Ｑ１９）、コンテンツ記憶部２１に記憶しているコンテンツから送信要求に含まれるコンテンツを特定するための情報に基づいて検索したコンテンツを読み出し、近接通信部２５経由で携帯端末１００に送信し（Ｓ５５、Ｑ２０）、コンテンツ制御を終了する。
【００８１】
「コンテンツリスト表示要求を受信した場合：図４のテレビ装置２００のシーケンス及び図１（Ｂ２）関連」
起動後のステップＳ５１でコンテンツリスト表示要求（Ｑ５２）を受信した場合、表示部２３に対して、コンテンツリストを表示させる（Ｓ６１、Ｑ５３）。その後、ユーザによるテレビ装置２００の入力部２４またはリモートコントローラのキーが操作され、携帯端末１００に移動させるコンテンツの選択が入力されるのをチェックする（Ｓ６２）。並行して、近接通信部２５経由で携帯端末１００から送信される要求をチェックする（Ｓ６３）。
【００８２】
ステップＳ６２でコンテンツ選択があれば（Ｑ５７）、この選択されたコンテンツの識別情報に基づいてコンテンツ記憶部２１から読み出したコンテンツを近接通信部２５経由で携帯端末１００に送信し（Ｓ６４、Ｑ５８）、コンテンツ制御を終了する。
【００８３】
「図１の（Ａ２）→（Ｂ２）遷移」関連：
前記ステップＳ５４のチェック中は、図１の（Ａ２）状態であったが、Ｓ５４でコンテンツリスト表示要求があれば（Ｑ５２）、前記ステップＳ６１へ移動し、前記したＳ６１以降の処理により、図１（Ｂ２）状態へ遷移する。
【００８４】
「図１の（Ｂ２）→（Ａ２）遷移」関連：
前記ステップＳ６３のチェック中は、図１の（Ｂ２）状態であったが、Ｓ６３でコンテンツリスト送信要求があれば（Ｑ６０）、表示部２３に、コンテンツリスト表示をオフさせる（Ｓ６５、Ｑ６１）。これにより、表示部２３は、コンテンツリスト表示前に行っていたＴＶ放送波に含まれる番組データをデコードして得た映像表示に切り替わる。そして、前記ステップＳ５３へ移動し、前記したＳ５３以降の処理により、図１（Ａ２）状態へ遷移する。
【００８５】
以上、図６のコンテンツ制御機能３１の動作フローチャートは、シーケンスＱ番号を併記して説明したように、図３および図４のテレビ装置２００のコンテンツ制御機能３１部分の全ての処理を実行している。
【００８６】
本発明の実施例によれば、ユーザは、携帯端末１００をテレビ装置２００にタッチするだけで、携帯端末１００のコンテンツ移動操作可能／コンテンツ移動操作不可能に応じて、携帯端末１００がコンテンツ移動操作可能であれば携帯端末１００にテレビ装置２００所有コンテンツのコンテンツリストが自動表示され、携帯端末１００がコンテンツ移動操作不可能であればテレビ装置２００にテレビ装置２００所有コンテンツのコンテンツリストが自動表示され、ユーザは表示された方の装置の入力部を操作してコンテンツを選択し、携帯端末１００が自動でそのコンテンツを入手することができる。
【００８７】
なお、携帯端末１００のコンテンツ移動操作可能／コンテンツ移動操作不可能は、携帯端末１００の筐体の開状態／閉状態に対応したが、携帯端末１００の入力部のキーロック非設定／キーロック設定に対応してもよい。
【図面の簡単な説明】
【００８８】
【図１】本発明の実施例に係る近接通信システムのシステム図。
【図２】本発明の実施例に係る携帯端末１００とテレビ装置２００のブロック図。
【図３】本発明の実施例に係る近接通信システムのシーケンス１のシーケンス図。
【図４】本発明の実施例に係る近接通信システムのシーケンス２のシーケンス図。
【図５】本発明の実施例に係る携帯端末１００のコンテンツ制御機能１１の動作フローチャート。
【図６】本発明の実施例に係るテレビ装置２００のコンテンツ制御機能３１の動作フローチャート。
【符号の説明】
【００８９】
１  コンテンツ記憶部
２  開閉検出部
３  携帯電話通信部
４  表示部
５  入力部
６  近接通信部
１０  制御部
１１  コンテンツ制御機能
１２  キーロック機能
１３  携帯電話制御機能
２１  コンテンツ記憶部
２２  テレビ受信部
２３  表示部
２４  入力部
２５  近接通信装置
３０  制御部
３１  コンテンツ制御機能
３２  テレビ制御機能
１００  携帯端末
２００  テレビ装置
【図１】
2010081408.tif 000003
【図２】
2010081408.tif 000004
【図３】
2010081408.tif 000005
【図４】
2010081408.tif 000006
【図５】
2010081408.tif 000007
【図６】
2010081408.tif 000008